(57)【要約】【課題】廃棄物処理にともなって被処理物を効率よく磁性体とする磁気的廃棄物処理方法、及び磁気的廃棄物処理装置、及び同装置によって処理された被処理物、並びに同装置に用いた液体、及び同被処理物を有する製品を提供せんとするものである。【解決手段】磁場発生手段で発生させた磁場中を通過させた空気を加熱炉内に送気しながらこの加熱炉内を加熱して、加熱炉内に投入された廃棄物からなる被処理物を処理するものであって、加熱炉内を磁場中を通過させた空気で満たすとともに、加熱炉内を低酸素状態として被処理物を磁化させる。【選択図】図２
2007000682.tif 000002
【特許請求の範囲】
【請求項１】
収容した廃棄物からなる被処理物を加熱する加熱炉と、この加熱炉に連通連結した送気管と、この送気管の中途部に設けた磁場発生器とを備えて、前記磁場発生器を通過することによって磁場中を通過した空気を前記加熱炉に送気しながら被処理物を処理する磁気的廃棄物処理方法において、
前記磁場中を通過させた空気で前記加熱炉内を満たすとともに、前記加熱炉内を低酸素状態として被処理物を磁化させることを特徴とする磁気的廃棄物処理方法。
【請求項２】
収容した廃棄物からなる被処理物を加熱する加熱炉と、この加熱炉に連通連結した送気管と、この送気管の中途部に設けた磁場発生器とを備えた磁気的廃棄物処理装置において、
前記送気管の中途部に設けた調整弁と、この調整弁を制御する制御部とによって、前記磁場中を通過させた空気で前記加熱炉内を満たすとともに、前記加熱炉内を低酸素状態として被処理物を磁化させるように構成したことを特徴とする磁気的廃棄物処理装置。
【請求項３】
前記磁場発生器は２つで１組とした磁場発生手段を備えるとともに、一方の磁場発生手段を他方の磁場発生手段から１０〜３０ｍｍの間隔を隔てて配置し、この磁場発生手段間に前記送気管から送気された空気を通して磁場中を通過させていることを特徴とする請求項２記載の磁気的廃棄物処理装置。
【請求項４】
前記磁場発生手段は、磁束密度が約２０００〜５０００ガウスの磁力を有することを特徴とする請求項３記載の磁気的廃棄物処理装置。
【請求項５】
前記加熱炉内で発生したガスに含まれる油分を分離する油分分離手段を備えたことを特徴とする請求項２〜４のいずれか１項に記載の磁気的廃棄物処理装置。
【請求項６】
請求項２〜５のいずれか１項に記載された磁気的廃棄物処理装置での加熱処理によって磁気を帯びながら炭化した被処理物。
【請求項７】
請求項２〜５のいずれか１項に記載された磁気的廃棄物処理装置での加熱処理によって磁気を帯びながら灰化した被処理物。
【請求項８】
請求項６または請求項７記載の被処理物を有する製品であって、
前記被処理物を合成樹脂と混合して成型することによって形成したプラスチック製の浴槽、洗面器、ボタン、電気機器のハウジング、筆記具の基体、弁当箱、鮮度保持容器、食器のいずれか一つからなる製品。
【請求項９】
請求項６または請求項７記載の被処理物を有する製品であって、
前記被処理物を含浸または塗布または混入させた不織布または紙からなる製品。
【請求項１０】
請求項６または請求項７記載の被処理物を有する製品であって、
前記被処理物を含有した食品からなる製品。
【請求項１１】
請求項６または請求項７記載の被処理物を有する製品であって、
前記被処理物を含有した塗料または印刷用インクからなる製品。
【請求項１２】
請求項６または請求項７記載の被処理物を有する製品であって、
前記被処理物を含有した陶器、陶器の釉薬、ガラスのいずれか一つからなる製品。
【請求項１３】
請求項６または請求項７記載の被処理物を有する製品であって、
前記被処理物を含有または塗布または混入させた装飾品からなる製品。
【請求項１４】
請求項６または請求項７記載の被処理物を有する製品であって、
前記被処理物を混合した浄化材からなる製品。
【請求項１５】
請求項６または請求項７記載の被処理物を有する製品であって、
前記被処理物をセメントと混合してなる製品。
【請求項１６】
請求項６または請求項７記載の被処理物を有する製品であって、
前記被処理物を含有した石膏ボードからなる製品。
【請求項１７】
請求項６または請求項７記載の被処理物を有する製品であって、
前記被処理物を含有したアスファルトからなる製品。
【請求項１８】
請求項６または請求項７記載の被処理物を有する製品であって、
前記被処理物を合成樹脂と混合して繊維状とした繊維からなる製品。
【発明の詳細な説明】
【技術分野】
【０００１】
本発明は、廃棄物の処理方法、廃棄物処理装置、及び同装置によって処理された被処理物、並びに同被処理物を有する製品に関するものであり、特に廃棄物からなる被処理物の処理時に被処理物を加熱して炭化・灰化させるものであって、磁場を発生させる磁場発生装置を通して活性化した空気を送気しながら加熱することにより、被処理物を磁化させることができるものである。
【背景技術】
【０００２】
従来、可燃性廃棄物を処理する方法として、燃焼焼却する方法が数多く考案されて実用化されているが、不完全燃焼を防止するために基本的に高温での燃焼が不可欠であって、焼却装置が大型化するとともに運転コストが高騰するという難点を有していた。
【０００３】
そこで、燃焼用の空気として、磁場の影響を及ぼすことによって空気中の酸素等を活性化した空気を用いることにより燃焼を促しやすくして、低温での焼却を可能とする焼却炉も提案されている（例えば、特許文献１参照。）。
【特許文献１】特開２００１−３０４５２０号公報
【発明の開示】
【発明が解決しようとする課題】
【０００４】
しかしながら、磁場の作用により酸素等を活性化した空気を用いた焼却炉の提案においては、磁場の作用条件や効果が詳細には開示されておらず、応用技術の展開は今後の課題として残されていた。
【０００５】
このような現状に鑑み、本発明者らは、廃棄物の加熱処理における磁場の作用について広汎に研究を重ねた結果、特定の条件下において炭化・灰化された被処理物が磁気を帯びることを知見し、良質な磁性体を廃棄物から生成することができる方法及び装置を開発するに至り、廃棄物処理にともなって被処理物を効率よく磁性体とする磁気的廃棄物処理方法、及び磁気的廃棄物処理装置、及び同装置によって処理された被処理物、並びに同被処理物を有する製品を提供せんとするものである。
【課題を解決するための手段】
【０００６】
本発明の磁気的廃棄物処理方法では、収容した廃棄物からなる被処理物を加熱する加熱炉と、この加熱炉に連通連結した送気管と、この送気管の中途部に設けた磁場発生器とを備えて、磁場発生器を通過することによって磁場中を通過した空気を加熱炉に送気しながら被処理物を処理する磁気的廃棄物処理方法において、磁場中を通過させた空気で加熱炉内を満たすとともに、加熱炉内を低酸素状態として被処理物を磁化させることとした。
【０００７】
また、本発明の磁気的廃棄物処理装置では、収容した廃棄物からなる被処理物を加熱する加熱炉と、この加熱炉に連通連結した送気管と、この送気管の中途部に設けた磁場発生器とを備えた磁気的廃棄物処理装置において、送気管の中途部に設けた調整弁と、この調整弁を制御する制御部とによって、磁場中を通過させた空気で加熱炉内を満たすとともに、加熱炉内を低酸素状態として被処理物を磁化させるように構成した。
【０００８】
さらに、以下の点にも特徴を有するものである。すなわち、
（１）磁場発生器は２つで１組とした磁場発生手段を備えるとともに、一方の磁場発生手段を他方の磁場発生手段から１０〜３０ｍｍの間隔を隔てて配置し、この磁場発生手段間に送気管から送気された空気を通して磁場中を通過させていること。
（２）磁場発生手段は、磁束密度が約２０００〜５０００ガウスの磁力を有すること。
（３）加熱炉内で発生したガスに含まれる油分を分離する油分分離手段を備えたこと。
【０００９】
また、本発明の被処理物は、磁気的廃棄物処理装置での加熱処理によって磁気を帯びながら炭化した被処理物である。
【００１０】
また、本発明の被処理物は、磁気的廃棄物処理装置での加熱処理によって磁気を帯びながら灰化した被処理物である。
【００１１】
また、本発明の被処理物を有する製品は、以下の製品である。
（１）被処理物を合成樹脂と混合して成型することによって形成したプラスチック製の浴槽、洗面器、ボタン、電気機器のハウジング、筆記具の基体、弁当箱、鮮度保持容器、食器のいずれか一つからなる製品。
（２）被処理物を含浸または塗布または混入させた不織布または紙からなる製品。
（３）被処理物を添加した食品からなる製品。
（４）被処理物を含有した塗料または印刷用インクからなる製品。
（５）被処理物を含有した陶器、陶器の釉薬、ガラスのいずれか一つからなる製品。
（６）被処理物を含有または塗布または混入させた装飾品からなる製品。
（７）被処理物を混合した浄化材からなる製品。
（８）被処理物をセメントと混合してなる製品。
（９）被処理物を含有した石膏ボードからなる製品。
（１０）被処理物を含有したアスファルトからなる製品。
（１１）被処理物を合成樹脂と混合して繊維状とした繊維からなる製品。
【発明の効果】
【００１２】
請求項１記載の発明によれば、収容した廃棄物からなる被処理物を加熱する加熱炉と、この加熱炉に連通連結した送気管と、この送気管の中途部に設けた磁場発生器とを備えて、磁場発生器を通過することによって磁場中を通過した空気を加熱炉に送気しながら被処理物を処理する磁気的廃棄物処理方法において、磁場中を通過させた空気で加熱炉内を満たすとともに、加熱炉内を低酸素状態として被処理物を磁化させることによって、廃棄物を炭化あるいは灰化させた被処理物を磁化させることができ、廃棄物から磁性材料を製造することができる。
【００１３】
請求項２記載の発明によれば、収容した廃棄物からなる被処理物を加熱する加熱炉と、この加熱炉に連通連結した送気管と、この送気管の中途部に設けた磁場発生器とを備えた磁気的廃棄物処理装置において、送気管の中途部に設けた調整弁と、この調整弁を制御する制御部とによって、磁場中を通過させた空気で加熱炉内を満たすとともに、加熱炉内を低酸素状態として被処理物を磁化させるように構成したことによって、請求項１記載の発明と同様に、廃棄物を炭化あるいは灰化させた被処理物を磁化させることができ、廃棄物から磁性材料を製造可能とした磁気的廃棄物処理装置を提供できる。
【００１４】
請求項３記載の発明によれば、請求項２記載の磁気的廃棄物処理装置において、磁場発生器は２つで１組とした磁場発生手段を備えるとともに、一方の磁場発生手段を他方の磁場発生手段から１０〜３０ｍｍの間隔を隔てて配置し、この磁場発生手段間に送気管から送気された空気を通して磁場中を通過させていることによって、加熱処理される被処理物を極めて効率よく磁化させることができる。
【００１５】
請求項４記載の発明によれば、請求項２または請求項３記載の磁気的廃棄物処理装置において、磁束密度が約２０００〜５０００ガウスの磁力を有する磁場発生手段とすることによって、磁化された被処理物の磁化率を可級的に大きくすることができる。
【００１６】
請求項５記載の発明によれば、請求項２〜４のいずれか１項に記載の磁気的廃棄物処理装置において、加熱炉内で発生したガスに含まれる油分を分離する油分分離手段を備えたことによって比較的低温で処理可能となっている磁気的廃棄物処理装置から排出される排気ガスを浄化して清浄としたガスを排出することができる。特に、ガス中の空気は磁場発生手段で発生させた磁場によって活性化しており、油分分離手段による油分分離の効率を向上させることができる。
【００１７】
請求項６記載の発明によれば、請求項２〜５のいずれか１項に記載の磁気的廃棄物処理装置で処理された被処理物が、磁気的廃棄物処理装置での加熱処理によって磁気を帯びながら炭化した被処理物であることによって、廃棄物から磁化された炭化物を製造することができ、有用性の高い材料を再生産して提供することができる。
【００１８】
請求項７記載の発明によれば、請求項２〜５のいずれか１項に記載の磁気的廃棄物処理装置で処理された被処理物が、磁気的廃棄物処理装置での加熱処理によって磁気を帯びながら灰化した被処理物であることによって、廃棄物から磁化された微粉末を製造することができ、有用性の高い材料を再生産して提供することができる。
【００１９】
請求項８記載の発明によれば、請求項６または請求項７記載の被処理物を有する製品であって、被処理物を合成樹脂と混合して成型することによって形成したプラスチック製の浴槽、洗面器、ボタン、電気機器のハウジング、筆記具の基体、弁当箱、鮮度保持容器、食器のいずれか一つからなる製品としたことによって、磁気を帯びた被処理物を含有しているので、これらの製品の使用にともなって様々な磁気効果が期待できる。
【００２０】
請求項９記載の発明によれば、請求項６または請求項７記載の被処理物を有する製品であって、被処理物を含浸または塗布または混入させた不織布または紙からなる製品としたことによって、磁気を帯びた被処理物を含浸または塗布または混入しているので、これらの製品の使用にともなって様々な磁気効果が期待できる。
【００２１】
請求項１０記載の発明によれば、請求項６または請求項７記載の被処理物を有する製品であって、被処理物を含有した食品からなる製品としたことによって、磁気を帯びた被処理物を含有しているので、磁気効果による食味の向上が期待できる。
【００２２】
請求項１１記載の発明によれば、請求項６または請求項７記載の被処理物を有する製品であって、被処理物を含有した塗料または印刷用インクからなる製品としたことによって、磁気を帯びた被処理物を含有しているので、これらの製品の使用にともなって様々な磁気効果、特に電磁波の遮蔽効果が期待できる。
【００２３】
請求項１２記載の発明によれば、請求項６または請求項７記載の被処理物を有する製品であって、被処理物を含有した陶器、陶器の釉薬、ガラスのいずれか一つからなる製品としたことによって、磁気を帯びた被処理物を含有しているので、これらの製品の使用にともなって様々な磁気効果が期待できる。
【００２４】
請求項１３記載の発明によれば、請求項６または請求項７記載の被処理物を有する製品であって、被処理物を含有または塗布または混入させた装飾品からなる製品としたことによって、磁気を帯びた被処理物を含有しているので、装飾品の使用にともなって様々な磁気効果が期待できる。
【００２５】
請求項１４記載の発明によれば、請求項６または請求項７記載の被処理物を有する製品であって、被処理物を混合した浄化材からなる製品としたことによって、磁気を帯びた被処理物を含有しているので、磁気効果に起因した浄化能力の向上が期待できる。
【００２６】
請求項１５記載の発明によれば、請求項６または請求項７記載の被処理物を有する製品であって、被処理物をセメントと混合してなる製品としたことによって、磁気を帯びた被処理物を含有しているので、これらのセメントを用いたコンクリート製品あるいはモルタル製品において様々な磁気効果が期待できる。
【００２７】
請求項１６記載の発明によれば、請求項６または請求項７記載の被処理物を有する製品であって、被処理物を含有した石膏ボードからなる製品としたことによって、磁気を帯びた被処理物を含有しているので、石膏ボードの使用にともなって様々な磁気効果が期待できる。
【００２８】
請求項１７記載の発明によれば、請求項６または請求項７記載の被処理物を有する製品であって、被処理物を含有したアスファルトからなる製品としたことによって、磁気を帯びた被処理物を含有しているので、アスファルトの使用にともなって様々な磁気効果が期待できる。
【００２９】
請求項１８記載の発明によれば、請求項６または請求項７記載の被処理物を有する製品であって、被処理物を合成樹脂と混合して繊維状とした繊維からなる製品としたことによって、磁気を帯びた被処理物を含有しているので、この繊維を用いて製造した布地の使用にともなって様々な磁気効果が期待できる。
【発明を実施するための最良の形態】
【００３０】
本発明の磁気的廃棄物処理方法及び磁気的廃棄物処理装置では、収容した廃棄物からなる被処理物を加熱する加熱炉と、この加熱炉に連通連結した送気管と、この送気管の中途部に設けた磁場発生器とを備えて、加熱炉内の廃棄物を加熱処理して炭化、さらには粉末状の炭化物である灰とする灰化する場合に、磁場発生器で発生させた磁場中を通過させることにより磁性流体化した空気を加熱炉内に送給しながら加熱処理するものである。
【００３１】
特に、加熱炉内は磁場中を通過させた空気で満たすとともに、加熱炉内を低酸素状態として被処理物を磁化させることによって、廃棄物を炭化あるいは灰化させた被処理物を磁化させることができ、廃棄物から磁性材料を製造することができる。
【００３２】
本発明者らは、磁場発生手段の作用によって磁性流体化した空気を充填し、かつ低酸素状態とした加熱炉内で行う廃棄物の加熱処理を磁気薫製または磁薫（以下、「磁薫」という）と呼んでいる。加熱炉は、正確には磁気薫製炉または磁薫炉であるが、便宜上加熱炉と呼ぶことにする。
【００３３】
この磁薫の際には加熱炉内が低酸素状態となっていることにより、廃棄物は火炎によって焼却されるのではなく、燻し状態となることによって緩やかに燃焼が進行する。
【００３４】
しかも、廃棄物からなる被処理物は、磁性流体化した空気中の活性化酸素等の影響によって燃焼にともなって磁気を帯びるものと推察され、磁性を有する炭化物（以下、「磁性炭化物」という）、あるいは磁性を有する灰（以下、「磁粉末」という）を製造することができていると考えられる。
【００３５】
特に、加熱処理の開始当初では、低温の空気が磁場の強い部分に保持されることにより、加熱炉内の温度を高く安定状態とすることができ、温度拡散によって加熱炉内の温度を上々に上昇させる空気の対流拡散現象によって、加熱炉内を磁薫に適した状態とすることができる。
【００３６】
このように、本発明の磁気的廃棄物処理方法及び磁気的廃棄物処理装置では、従来の磁気的廃棄物処理装置での処理後に単なる廃棄物として最終処分場に埋立処理されていた被処理物を、磁性炭化物あるいは磁粉末として再利用可能とすることができる。この意味では、磁薫は磁化力処理であると見ることができる。
【００３７】
この磁薫によって生成された磁性炭化物あるいは磁粉末は、例えば切花の水中に少量添加することによって花の寿命を大幅に延ばすことができることが確かめられており、土壌改良材や水の浄化材として多くの用途が見込まれている。
【００３８】
上記したように磁気的廃棄物処理方法及び磁気的廃棄物処理装置では、磁性流体化した空気を加熱炉内に送給しながら加熱処理することにより、加熱処理を連続的に行うことができ、廃棄物を断続的に加熱炉に投入しながらも安定した特性を有する磁性炭化物あるいは磁粉末を製造できる。
【００３９】
図１は、本発明の磁気的廃棄物処理方法によって製造された被処理物である磁粉末の単位質量当たりの磁化率を計測した際に得られたヒステリシスループのプロット図であり、このヒステリシスループから磁粉末が4.1eum/gの磁化率値が得られた。同様にしてニッケル粉末の磁化率を計測したところ、54.4eum/gであって、微粉末はニッケル粉末の約１３分の１の磁化率を有していることが明らかとなった。
【００４０】
本発明の磁気的廃棄物処理方法及び磁気的廃棄物処理装置において、磁場発生器は、２つで１組とした磁場発生手段を備えるとともに、一方の磁場発生手段を他方の磁場発生手段から１０〜３０ｍｍの間隔を隔てて配置し、この磁場発生手段間に送気管から送気された空気を通して磁場中を通過させている。
【００４１】
したがって、加熱炉に好適に活性化された空気を送給することができるので、加熱炉内を磁薫に好適な磁性流体環境とすることができ、廃棄物からなる被処理物の加熱処理を比較的低温とすることができるだけでなく、効率よく磁性炭化物あるいは磁粉末を製造することができる。
【００４２】
さらに、磁場発生手段の磁束密度を約２０００〜５０００ガウスとした場合には、磁化された被処理物の磁化率を可級的に大きくすることができる。
【００４３】
しかも、磁気的廃棄物処理装置に加熱炉内で発生したガスに含まれる油分を分離する油分分離手段を設けた場合には、比較的低温の加熱条件下で処理されることにより燃焼にともなって発生したガス中に含まれる油分あるいはその他の汚染物質を分離除去して、清浄とした排気ガスを排出することができる。
【００４４】
特に、ガス中の空気は磁場発生手段で発生させた磁場によって活性化されているので、油分分離手段による油分分離の効率を向上させることができる。
【００４５】
分離抽出された油分は、忌避剤など薬剤用材料あるいは塗料原料などとして用いることができ、廃棄物処理にともなって原料の製造ができる。
【００４６】
また、本発明の磁気的廃棄物処理方法及び磁気的廃棄物処理装置によって製造された磁性炭化物あるいは磁粉末からなる被処理物は、以下のように製品化することができる。
【００４７】
＜製品化例１＞
被処理物を合成樹脂と混合して成型することによって所要のプラスチック製品とすることができる。
【００４８】
特に、プラスチック製品を浴槽とした場合には、被処理物の磁気作用によって浴槽中の水のクラスターを分解することができ、磁気を帯びたマイナスイオン温水を生成することができる。なお、合成樹脂に混合する被処理物は、１０〜２０wt％程度である。
【００４９】
このマイナスイオン温水のお湯に入浴することにより、身体の血液をサラサラとして血流の向上を図ることができるとともに、血液を中性に近づけることができるので、健康の増進を図ることができ、そのうえ湯冷めしにくくすることができる。さらに、脳においてα波を出しやすくすることができることによってリラックス効果を向上させることができ、また、神経痛を有する人の場合には、症状の軽減を図ることができる。
【００５０】
また、プラスチック製品を洗面器とした場合には、被処理物の磁気作用によって洗面器中の水のクラスターを分解することができ、磁気を帯びたマイナスイオン水を生成することができる。なお、合成樹脂に混合する被処理物は、１０〜２０wt％程度である。
【００５１】
このマイナスイオン水を用いて洗顔することにより、毛穴まできれいに洗浄することができるとともに肌をツルツルとすることができ、化粧ののりを向上させて化粧の効果を向上させることができる。
【００５２】
また、プラスチック製品をボタン、あるいは電気機器のハウジングとした場合には、被処理物の磁気作用によって電磁波の遮蔽効果を生起することができる。特に、電気機器のハウジングとして用いた場合には、電気機器が発する電磁波が外部に漏れることも防止できる。
【００５３】
また、プラスチック製品を筆記具の基体とした場合には、被処理物の磁気作用によって筆記具を把持した手の血行を向上させることができ、冷え性の改善を図ることができる。
【００５４】
また、プラスチック製品を弁当箱、あるいは鮮度保持容器とした場合には、被処理物の磁気作用によって内容物の鮮度低下を抑制することができるとともに、食品に付着している細菌の増殖を抑制することができる。鮮度保持容器としては、具体的には、ビニール袋、ラッピングシート、ペットボトル、プラスチック製密封容器などである。あるいは、保温用または保冷用の発泡スチロール製またはプラスチック製の容器でもよい。
【００５５】
また、プラスチック製品を食器とした場合には、被処理物の磁気作用によって食器に盛られた食品の鮮度低下を抑制することができるとともに、食品に付着している細菌の増殖を抑制することができる。
【００５６】
特に、食器がコップやお椀などのように水またはお湯を保持する容器である場合には、コップやお椀など容器中の水のクラスターを分解することができ、磁気を帯びたマイナスイオン水を生成することができるとともに、クラスターが分解された状態のままの水またはお湯を体内に取り込むことができるので、健康増進を図ることができる。
【００５７】
従来の磁石などを用いた水クラスターの分解器具では、処理直後には水クラスターを微細化することができるものの、時間の経過とともに微細化された水クラスターが肥大化し、元に戻ってしまうという不具合があったが、被処理物を合成樹脂と混合して成型したコップやお椀などを用いることによって、微細化された水クラスターの状態を保持することができる。
【００５８】
＜製品化例２＞
被処理物を不織布または紙などに含浸または塗布または混入させてシート状製品とすることができる。
【００５９】
これらのシート状製品は漉き作業時に被処理物を一緒に漉き込んでもよいし、漉き上げたシート体に被処理物を塗布または混入させてもよい。このようなシート状製品を生鮮食料品の鮮度保持シートとした場合には、被処理物の磁気作用によって食料品の鮮度低下を抑制することができるとともに、食品に付着している細菌の増殖を抑制することができる。
【００６０】
また、このようなシート状製品をティッシュまたはウエットティッシュとした場合には、被処理物の磁気作用によって大腸菌等の細菌の不活性化を可能とした付加価値の高いシート状製品を提供できる。
【００６１】
また、このようなシート状製品を壁紙または障子紙などとした場合には、被処理物の磁気作用によってシート状製品を電磁波遮蔽材とすることができ、低コストであって加工性の高い電磁波遮蔽材を提供できる。
【００６２】
＜製品化例３＞
被処理物を食品に添加することによって食用製品とすることができる。なお、この場合には、被処理物である廃棄物は木屑あるいは木製品廃棄物であることが望ましい。食用製品としては、パンやクッキーなどであってもよいし、畜肉あるいは魚肉または穀類などを湿式粉砕した粘凋物食品などであってもよい。最も好適な食用製品としてはこんにゃくである。
【００６３】
＜製品化例４＞
被処理物を所要の液体に含有させることにより塗料または印刷用インクあるいは接着剤などの液体製品とすることができる。このような液体製品とした場合には、被処理物の磁気作用によって電磁波の遮蔽効果を有するようにすることができるとともに、忌避剤とすることができる。
【００６４】
＜製品化例５＞
被処理物を陶器、陶器の釉薬、ガラスに含有させて焼成物系製品とすることができる。被処理物を含有させた粘土から製造した陶器、あるいは被処理物を含有させた釉薬を用いた陶器、あるいは石英粉末などに被処理物を含有させて溶融させて製造したガラスからなる皿、花瓶、杯、置物などの焼成物系製品とした場合には、被処理物の磁気作用によって鮮度保持効果あるいは消臭効果が期待でき、たとえば、所定形状に成型して形成した台所の消臭具あるいはぬめり取り具とした陶器は、焼成物系製品の好適な使用例である。
【００６５】
あるいは、コップやお椀など容器とした陶器は、上記したプラスチック製の容器の場合と同様に、被処理物の磁気作用によって食器に盛られた食品の鮮度低下を抑制することができるとともに、食品に付着している細菌の増殖を抑制することができる。しかも、食器がコップやお椀などのように水またはお湯を保持する容器である場合には、コップやお椀など容器中の水のクラスターを分解することができ、磁気を帯びたマイナスイオン水を生成することができるとともに、クラスターが分解された状態のままの水またはお湯を体内に取り込むことができるので、健康増進を図ることができる。
【００６６】
一方、タイル、レンガ、ブロックなどの焼成物系製品とした場合には、被処理物の磁気作用によって電磁波の遮蔽効果が期待できる焼成物系製品とすることができる。
【００６７】
また特に、ガラス窓に用いる板状ガラスとした場合には、電磁波の遮蔽効果あるいは保温性を有する板ガラスとすることができ、あるいはガラス瓶に用いるガラスの場合には、鮮度保持容器として好適に利用することができる。
【００６８】
＜製品化例６＞
被処理物を金属あるいはプラスチック材料あるいはガラス材料に含有または混入させ、これらを所定形状として製造することにより、または金属、プラスチック、ガラスなどを所定形状とした後に被処理物を塗布または付着させることにより装飾製品とすることができる。このような装飾製品とした場合には、被処理物の磁気作用によって細菌の増殖を抑制可能とした抗菌作用を有する装飾製品、あるいは電磁波の遮蔽効果が期待できる装飾製品とすることができる。
【００６９】
装飾製品としては、ネックレス、ブレスレット、アンクレット、指輪、ピアス、ブレスレットなどの装身具や、数珠などである。
【００７０】
＜製品化例７＞
被処理物を基材に混合して製造した浄化材からなる浄化用製品とすることができる。このような浄化用製品とした場合には、被処理物の磁気作用によって極めて高い浄化作用を期待できる。
【００７１】
例えば、活性炭などの浄化剤とともに、球形状などの所定形状に成型した被処理物を混入して水道の濾過剤とした場合には、水の浄化度を向上させることができるだけでなく、活性水を生成可能とすることができる。
【００７２】
また、磁石と被処理物とを組み合わせて燃焼機関であるエンジンの吸気口部分及び／または排気口部分に配置することによって、燃費の向上及び／または排気ガスの浄化が期待できる。
【００７３】
あるいは、適宜の微生物と被処理物とを混合したバイオメレディエーション剤として土壌に撒布または埋設することによって、微生物をより活性化させて土壌汚染などを効率よく修復可能とすることが期待できる。
【００７４】
また、有機性廃水処理施設において流入原水に所要の薬剤とともに被処理物を添加することにより流入原水の活性化を図ることができ、汚泥分離などの効率を向上させることができる。特に、爆気槽中の混合液に被処理物を添加することにより固液分離を促進させて、短時間での固液分離を可能とすることができる。
【００７５】
＜製品化例８＞
被処理物をセメントと混合して製造したセメント混合製品とすることができる。このセメント混合製品を用いてコンクリート製品またはモルタル製品を製造することにより、被処理物の磁気作用によって浄化作用あるいは電磁波遮蔽作用のあるコンクリート製品またはモルタル製品とすることができる。
【００７６】
たとえば、コンクリート製品として、護岸壁や除波ブロック、さらにはＵ字溝とした場合には、これらと接する水の浄化あるいは汚臭発生の抑止を期待できる。あるいは、コンクリート製品及びモルタル製品ではないが、被処理物を混合してスレート瓦を構成することにより、電磁波遮蔽作用を有する瓦とすることができる。
【００７７】
＜製品化例９＞
被処理物を石灰に混合させることにより製造した被処理物を含有する石膏ボードからなる建築資材製品とすることができる。このような建築資材製品とした場合には、被処理物の磁気作用によって電磁波遮蔽作用を期待できる。
【００７８】
＜製品化例１０＞
被処理物をアスファルトに混入させることにより、被処理物を含有したアスファルト製品とすることができる。このようなアスファルト製品とした場合には、被処理物の磁気作用によって保温性あるいは耐久性があるアスファルト製品とすることができる。
【００７９】
＜製品化例１１＞
被処理物を合成樹脂と混合して繊維状とすることにより繊維状製品とすることができる。このような繊維状製品とした場合には、この繊維状製品を用いて製造した布地を被処理物の磁気作用によって電磁波遮蔽性、消臭性、保温性を備えた布地を提供可能とすることができる。
【００８０】
上記した製品以外にも、被処理物の磁性を利用して、心臓用ペースメーカーなどの医療機器の誤作動防止システムや、潤滑油の酸化防止システムや、循環水のスライム防止システムなどに用いることができる。
【００８１】
以下において、本発明の磁気的廃棄物処理装置の具体例について詳説する。図２は、本実施形態の磁気的廃棄物処理装置Ａの概略模式図である。
【００８２】
磁気的廃棄物処理装置Ａは、廃棄物からなる被処理物を収容して加熱処理する加熱炉10と、この加熱炉10に連通連結して空気を送給する送気管20と、この送気管20の中途部に設けた磁場発生器30と、加熱炉10から排気された排気ガスから油分を分離する油分分離手段である油分分離槽40とで構成している。
【００８３】
加熱炉10は、上部に開閉自在とした投入口11を設けた有底円筒体としており、特に、加熱炉10は、耐熱材料製の外壁体10aと、この外壁体10aの内側に設けたスチール製の内壁体10bの二重構造としている。図２中、12は内壁体10bを支持する支持体である。
【００８４】
内壁体10bは、周面壁13を上下に凹凸形状を連続させた波形面として表面積を可及的に大きくしている。特に、この凹凸形状は螺旋状に形成しており、内壁体10bの周面壁13の外側面には、螺旋状の凹形状部分に冷却用配管14を配設して、この冷却用配管14に冷却水を送給することによって内壁体10bの周面壁13を冷却し、内壁体10bの内部温度を制御可能としている。
【００８５】
冷却用配管14への冷却水の送給は、冷却用配管14に介設した冷却水用開閉弁15の開閉操作によって行っており、冷却水用開閉弁15の開閉操作は、第１制御用配線51を介して接続した制御部50で行っている。制御部50には、加熱炉10の内部温度を検出する温度センサ（図示せず）を接続しており、加熱炉10内の温度に応じて冷却水の送給を制御するようにしている。
【００８６】
内壁体10bの内部には、内壁体10bの底面から所定の高さにスチール製の網目板16を架設している。この網目板16は、網目状に多数の貫通孔を設けた板体であって、投入口11から加熱炉10内に投入された被処理物を網目板16で支持するようにしている。
【００８７】
そして、後述するように被処理物が炭化あるいは灰化すると、炭化あるいは灰化した被処理物は網目板16の貫通孔を通過して、内壁体10bの底面に堆積するようにしている。すなわち、網目板16の下側空間は、炭化あるいは灰化した被処理物が堆積する堆積空間17としている。
【００８８】
加熱炉10には、堆積空間17に堆積した炭化あるいは灰化した被処理物を取り出す開閉自在の取出口18を設けている。
【００８９】
加熱炉10に連通連結した送気管20は堆積空間17部分に連通連結し、かつ、加熱炉10内の空気を排気する排気管19は加熱炉10の上部側に連通連結して、送気管20から送気された空気が被処理物を通過して排気されるようにしている。特に、排気管19には中途部にガスバーナなどを備えた燃焼部（図示せず）を設け、加熱炉10から排気された空気を燃焼処理して、排気された空気中の一酸化炭素などの低減を図るようにしてもよい。
【００９０】
送気管20に介設した磁場発生器30は、図３に示すように、送気管20の中途部において送気管20と連通連結する連通管31と、この連通管31を挟んで対向させて配置した磁場発生手段である第１磁石m1及び第２磁石m2と、この第１磁石m1及び第２磁石m2をそれぞれ固定支持するハウジング32とで構成している。
【００９１】
第１磁石m1は、板状とした第１支持パネル33に突設した磁石装着部34に装着し、第２磁石m2は、板状とした第２支持パネル35に突設した磁石装着部36に装着して、第１支持パネル33及び第２支持パネル35を介してハウジング32に装着している。
【００９２】
第１磁石m1と第２磁石m2とは、連通管31を挟んで１０〜３０ｍｍの間隔を隔てて配置しており、連通管31はプラスチック製として、第１磁石m1及び第２磁石m2の磁力が連通管31の空気に確実に作用するようにしている。
【００９３】
本実施形態では、第１磁石m1及び第２磁石m2はそれぞれ永久磁石としているが、永久磁石に限定するものではなく、電磁石であってもよい。特に、第１磁石m1及び第２磁石m2からなる磁場発生手段は、磁束密度が約２０００〜５０００ガウスであることが望ましく、永久磁石の場合にはネオジウム系磁石等が望ましい。
【００９４】
磁束密度を約２０００〜５０００ガウスとした磁場発生手段を用いることによって、第１磁石m1と第２磁石m2の間を通過する空気をより効率よく活性化させて、後述するように磁化された被処理物の磁化率を可級的に大きくして、高品質とした磁性炭化物あるいは磁粉末を製造できる。
【００９５】
また、本実施形態では、第１磁石m1と第２磁石m2とをＮ極とＳ極とが対向するように配置しているが、Ｎ極同士またはＳ極同士が対向するように配置してもよく、さらには、１組の磁場発生手段を設けるだけでなく、複数組の磁場発生手段を設けてもよい。
【００９６】
磁場発生器30は送気管20に設けるだけでなく排気管19にも設けて、加熱炉10から排気された排気ガスをさらに活性化して油分分離槽40に送気して、この油分分離槽40での油分分離をより効果的に行えるようにしてもよい。
【００９７】
油分分離槽40は水を貯留した貯水槽であって、排気管19の先端を油分分離槽40の水面よりも低い位置に位置させて、排気管19から放出された排気ガスを水に接触させて排気ガス中の油分を分離するようにしている。
【００９８】
特に、排気管19に設けた磁場発生器30によって排気ガスは磁性流体化されているので、この排気ガスが油分分離槽40中で気泡状態となって冷却液中を移動することにより、磁性流体化した排気ガスの磁性によって冷却水を活性化させることができる。これにより、油分の除去効率を向上させることができる。
【００９９】
分離された油分は油分分離槽40の水面に浮遊し、この浮遊した油分は、水面近傍に設けたオーバーフロー管41を介して油回収槽42に回収している。図２中、43は、油分が分離された排気ガスの排気口である。
【０１００】
上記のように構成した磁気的廃棄物処理装置Ａを用いて廃棄物を処理する際の詳細について説明する。
【０１０１】
まず、加熱炉10の投入口11から、古紙や木粉などの比較的燃えやすい廃棄物を投入してこれに着火することにより種火を起こす。
【０１０２】
次いで、加熱炉10の投入口11から、種火を消さない程度に断続的に廃棄物を投入する。このとき、加熱炉10には送気管20から空気を送気しており、特に、送気管20に介設した磁場発生器30で磁性流体とした空気を送気して、加熱炉10の内部を磁性流体からなる空気で充満させるとともに、加熱炉10への空気の供給量を調整することにより、加熱炉10の内部が低酸素状態として磁薫状態を生じさせる。
【０１０３】
ここで、加熱炉10への空気の供給調整は、図２に示すように送気管20に設けた流入側開閉弁54と流出側開閉弁55とによって行っており、流入側開閉弁54及び流出側開閉弁55は第２制御用配線52及び第３制御用配線53を介して接続した制御部50で制御している。
【０１０４】
投入口11からの廃棄物の投入時には、投入口からの磁性流体となった空気の漏洩、及び酸素の流入を最小限として、磁薫状態が維持されるようにすることが望ましい。
【０１０５】
本実施形態では、廃棄物は、最初、網目板16上に１５０ｍｍ程度になるまで堆積させ、その後、廃棄物の燃焼に応じて断続的に廃棄物を投入する。
【０１０６】
このように廃棄物を上方から断続的に投入することによって、加熱炉10内では、下方での廃棄物の燃焼で生じた煙によって、その上方に位置する廃棄物は燻されて乾燥が促され、燃焼領域に近づくにつれて燃焼領域の熱によって確実に乾燥された後、燃焼が開始されることとなる。
【０１０７】
しかも燃焼領域の廃棄物は未処理の廃棄物で被覆されているとともに、低酸素状態であることにより激しく燃焼することがなく、しかも磁場発生器30によって活性化された酸素を利用して燃焼することにより、廃棄物からなる被処理物は炭化しながら磁化して磁性炭化物となり、しかも、燃焼領域の上方に位置した廃棄物の重量によって磁性炭化物に微細化が生じて灰となることにより磁粉末が製造される。
【０１０８】
磁性炭化物あるいは磁粉末は、網目板16の貫通孔を通過して堆積空間17に落下し、加熱炉10の取出口18から取出し可能としている。
【０１０９】
本実施形態の磁気的廃棄物処理装置Ａで、古紙、プラスチックス、生ごみなど196.5kgを順次処理したところ、白色乃至灰色の磁粉末を0.8kg得ることができた。この磁粉末の単位質量当たりの磁化率を計測した際に得られたヒステリシスループのプロット図が、図１である。
【０１１０】
本実施形態の磁気的廃棄物処理装置Ａでは、火種は開始時に一回使用しただけであり、空気を磁場に通したことにより、加熱処理が約５日間持続した。
【０１１１】
なお、廃棄物として有機廃棄物を投入した場合には、自然消火に起因した燃焼の停止は生じなかったが、上記した磁場発生器30において第１磁石m1及び第２磁石m2を取り除いた場合には、燃焼は約１日で停止してしまった。
【０１１２】
上記してきたように、本発明の磁気的廃棄物処理装置で廃木材、古紙、廃プラスチック、生ごみなどの廃棄物を処理することによって、廃棄物の種類に関わらず磁性炭化物あるいは磁粉末を製造することができ、従来では単なるゴミでしかなかった廃棄物を磁性材料として再利用することができる。
【０１１３】
しかも、磁気的廃棄物処理装置は油分分離装置を備えていることによりクリーンな処理装置とすることができ、無煙、無臭、無公害の磁気的廃棄物処理装置であって、しかもランニングコストを従来の焼却系加熱炉の三分の一以下とすることができる。
【図面の簡単な説明】
【０１１４】
【図１】本発明に係る磁気的廃棄物処理方法で製造された被処理物の単位質量当たりの磁化率を計測時に得られたヒステリシスループのプロット図である。
【図２】本発明の実施形態に係る磁気的廃棄物処理装置の概略模式図である。
【図３】磁場発生器の説明図である。
【符号の説明】
【０１１５】
Ａ  磁気的廃棄物処理装置
m1  第１磁石
m2  第２磁石
10  加熱炉
10a 外壁体
10b 内壁体
11  投入口
13  周面壁
14  冷却用配管
15  冷却水用開閉弁
16  網目板
17  堆積空間
18  取出口
19  排気管
20  送気管
30  磁場発生器
31  連通管
32  ハウジング
33  第１支持パネル
34  磁石装着部
35  第２支持パネル
36  磁石装着部
40  油分分離槽
41  オーバーフロー管
42  油回収槽
43  排気口
50  制御部
51  第１制御用配線
52  第２制御用配線
53  第３制御用配線
54  流入側開閉弁
55  流出側開閉弁
【図１】
2007000682.tif 000003
【図２】
2007000682.tif 000004
【図３】
2007000682.tif 000005